(57)【要約】【課題】  本発明は、周囲の状況及び光源の配置状況に関わらず、非常時には速やかに光源を点滅させて避難者に避難方向を報知することができる点滅形非常用照明装置を提供する。【解決手段】  本実施形態によれば、周囲が暗い状況であっても、非常時には速やかにＬＥＤ７０が点滅し避難者に避難方向を報知できるので、高い安全性を確保することができる。また、ＬＥＤ７０は、応答性が高いので、より早期に点滅動作を開始することが可能となり、早い段階で避難者に避難方向を報知することができる。したがって、高い安全性と報知の高い確実性が得られる点滅形非常用照明装置１０とすることができる。【選択図】図１
2011204698.tif 000002
【特許請求の範囲】
【請求項１】
バッテリと；
ＬＥＤと；
常時にバッテリを充電する充電回路と；
非常時にバッテリからの電源がＬＥＤへ供給されるように切替える切替え手段と；
非常時にバッテリからの電源をバッテリ電圧値よりも高く昇圧し、昇圧後の電源をＬＥＤへ出力してＬＥＤを点灯させる昇圧手段と；
ＬＥＤの点灯を点滅制御する点滅制御手段と；
を具備することを特徴とする点滅形非常用照明装置。
【請求項２】
昇圧手段による昇圧比はキセノンランプの点灯を点滅制御する場合より低いことを特徴とする請求項１記載の点滅形非常用照明装置。
【請求項３】
充電回路、切替え手段および点滅制御手段が配設される器具本体と；
を具備し、
ＬＥＤは器具本体の外部に露出するように配設されていることを特徴とする請求項１または２記載の点滅形非常用照明装置。
【発明の詳細な説明】
【技術分野】
【０００１】
本発明は、非常用照明装置に関する。
【背景技術】
【０００２】
従来、非常用照明装置である誘導灯装置には、火災報知器等の検出に基づく信号装置からの非常信号によって、内蔵するキセノンランプをバッテリで点滅させるというものがある。
【０００３】
すなわち、非常時に高輝度であるキセノンランプを点滅点灯させることで、避難者が容易に誘導灯装置を視認することができ、避難方向を迅速に把握することができるというものである（例えば特許文献1参照）。
【特許文献１】特開平１１−２５３７１号公報
【発明の開示】
【発明が解決しようとする課題】
【０００４】
このような特許文献１記載の従来技術は、点滅点灯用の光源であるキセノンランプを点灯させるためにバッテリからの電源を非常に高い電圧へ昇圧させなくてはならないものであった。したがって、高圧となるキセノンランプは、露出して配置することができないので、キセノンランプを筐体内へ収納配置するように設けていた。
【０００５】
そして、このような従来技術は、キセノンランプを筐体内へ収納配置するためにキセノンランプ自身が放電開始を可能とするための初期電子を生成することが困難となる場合があり、暗黒特性が悪くなる虞が有るという課題があった。
【０００６】
すなわち、放電灯であるキセノンランプは、明るいところでは周囲の光によって管内に初期電子が生成されるので、直ちに始動するが、暗所に設置された場合や、筐体内のような暗いところでは始動に長時間を要することになるので、非常時に即座に点灯することができない場合があり、安全性を速やかに確保することができ難い場合があった。
【０００７】
本発明は上記に鑑みたものであり、周囲の状況及び光源の配置状況に関わらず、非常時には速やかに光源を点滅させて避難者に避難方向を報知することができる点滅形非常用照明装置を提供することを目的とする。
【課題を解決するための手段】
【０００８】
請求項１に記載の非常用照明装置によれば、バッテリと；ＬＥＤと；常時にバッテリを充電する充電回路と；非常時にバッテリからの電源がＬＥＤへ供給されるように切替える切替え手段と；非常時にバッテリからの電源をバッテリ電圧値よりも高く昇圧し、昇圧後の電源をＬＥＤへ出力してＬＥＤを点灯させる昇圧手段と；ＬＥＤの点灯を点滅制御する点滅制御手段と；を具備していることを特徴としている。
【０００９】
請求項２に記載の点滅形非常用照明装置は、請求項１記載の点滅形照明装置において、昇圧手段による昇圧比はキセノンランプの点灯を点滅制御する場合より低いことを特徴とする。
【００１０】
本発明及び以下の発明において、特に指定しない限り用語の定義および技術的意味は次による。
【００１１】
切替手段は、機械的接点又は電気的接点等のいずれでもよい。また、外部操作によって意図的に切替えることができるものであってもよい。
【００１２】
昇圧手段は、ＬＥＤを点灯させるための点灯回路も含む概念であるが、昇圧部分他の回路部分は、適宜構成されるものであり、特に限定しない。
【００１３】
また、昇圧手段の昇圧範囲は、ＬＥＤを露出して配置できる範囲に昇圧させるものであることが好適である。これにより、ＬＥＤを外部に露出して配置することができるので、ＬＥＤから照射される光を遠方からより視認しやすくなるとともに、デザインの自由度を広げることができる。
【００１４】
なお、昇圧範囲は、厳格に解釈されるものではなく、本発明の効果を奏するものであれば、若干前後する範囲も含むものである。
【００１５】
点滅制御手段は、ＬＥＤをパルス幅点灯させるものであることが好適であるが、ＬＥＤが見かけ上点滅するように制御するものであれば、特に限定しない。
【００１６】
本発明の作用について説明する。例えば、外部の信号装置から火災信号が入力すると、切替手段によって、バッテリからの電源が昇圧手段へ供給されるように切替えられる。そして、昇圧手段は、バッテリの電源をバッテリ電圧値よりも大きく昇圧し、点滅制御手段及びＬＥＤへ昇圧後の電源を供給し、点滅制御手段のオンオフ制御によってＬＥＤが点滅点灯を行う。
【００１７】
請求項３に記載の点滅形非常用照明装置は、請求項１または２記載の点滅形照明装置において、充電回路、切替え手段および点滅制御手段が配設される器具本体と；を具備し、ＬＥＤは器具本体の外部に露出するように配設されていることを特徴とする。
【００１８】
ＬＥＤは昇圧手段による出力電圧が低いので、外部に露出すように配置しても良い。また、ＬＥＤを外部に露出配置した場合には、比較的高い輝度を有するＬＥＤでなくても視認性が低下することがないため、エネルギー消費効率が高くないＬＥＤを使用することでバッテリの充電電圧の減少速度を抑えることができ、長時間の点滅点灯を維持することができるか、又はバッテリの小形化を図ることができる。
【発明の効果】
【００１９】
請求項１および２の発明によれば、点滅用光源にＬＥＤを使用できることにより、周囲が暗い状況であっても、非常時には速やかにＬＥＤが点滅し避難者に避難方向を報知できるので、高い安全性を確保するとともに、信頼性の高い点滅形非常用照明装置を提供することができる。
【図面の簡単な説明】
【００２０】
【図１】本実施形態の点滅形非常用照明装置を示すブロック図
【発明を実施するための形態】
【００２１】
本発明の一実施形態を図面を参照して説明する。図１は本発明の一実施の形態に係る点滅形非常用照明装置を示すブロック図である。
【００２２】
信号装置１は、システム全体の例えば１カ所に配置され、点滅形非常用照明装置１０は、避難通路及び避難階段等の避難誘導を行う必要がある複数の位置に配設される。信号装置１には適宜の複数の場所に配置された図示しない火災感知器等から火災等の非常事態が発生したことが通知されるようになっている。
【００２３】
そして、信号装置１は、火災感知器等からの通知によって非常事態が発生したものと判断すると、この通知に基づく情報から避難誘導すべき避難通路及び避難階段等を把握し、これらの位置近傍に配設された点滅形非常用照明装置１０に非常事態が発生したことを示す制御信号を送出するようになっている。
【００２４】
点滅形非常用照明装置１０は、充電回路２、切替回路３、バッテリ４、昇圧回路５、点滅制御部８、ＬＥＤ光源部７によって構成されている。そして、点滅形非常用照明装置１は、常時電源電圧を発生する常用電源９に接続され、常時では充電回路２に常用電源９からの電源電圧が供給されるようになっている。
【００２５】
充電回路２は、切替回路３を介してバッテリ４に接続されている。切替回路３は、常時では充電回路２からの充電電流をバッテリ４に供給し、信号装置１からの制御信号によって非常事態が発生したことが通知された場合には、バッテリ４を昇圧回路５に接続するようになっている。これにより、常時では、バッテリ４は充電され、非常事態が発生すると、バッテリ４の充電電圧は、昇圧回路５に供給される。また、切替回路３には、図示しない制御回路が設けられている。この制御回路は、信号装置１からの制御信号が受信される受信部を有し、かつ、入力された信号を識別して、後述の点滅制御回路６を制御することができるものである。
【００２６】
昇圧回路５は、ＬＥＤ光源部７のＬＥＤ７０、７０、７０へ電源を供給するための電源回路を含んでいるものであって、バッテリ４から電源が供給されると、ＬＥＤ７０，７０，７０を点灯させるための電源をバッテリ４の電圧値よりも高い電圧である３０Ｖ程度に昇圧させることにより発生させるようになっている。
【００２７】
ＬＥＤ光源部７は、３個のＬＥＤ７０が直列に接続されて形成されており、一端側にはトランジスタ８が接続されている。そして、このトランジスタ８のベースにはＬＥＤ７０、７０，７０が点滅するようにパルス状の駆動信号を供給する点滅制御回路６が接続されている。
【００２８】
そして、本実施形態においては、ＬＥＤ光源部７は、器具本体１０Ａから露出するように配設されている。すなわち、図１の一点鎖線は、器具本体１０Ａを示すものであって、充電回路２、切替回路６、バッテリ４、昇圧回路５、点滅制御回路６及びトランジスタ８が各々のユニット又は共通のユニットなどに収納される等して器具本体１０Ａ内に配設されている。一方、図１の二点鎖線は、ＬＥＤ光源部７を示すものであって、ＬＥＤ７０，７０，７０が各々器具本体１０Ａ外に位置するように器具本体１０Ａに配設されていることを示すものである。なお、ＬＥＤ７０，７０，７０の外面を保護するために、適宜図示しないカバーをＬＥＤ７０，７０，７０を包囲するように配設することもできる。
【００２９】
次に本実施形態の動作について説明する。
【００３０】
常時は、切替回路３は常用電源９からの電源が充電回路２を介してバッテリ４と接続されるように接続しており、充電回路２の充電電流によってバッテリ４は充電状態となっている。そして、適宜の位置に配置された火災感知器によって火災の発生が信号装置１に通知されるものとする。すると、信号装置１は、避難路として適した通路及び階段等に設置された点滅形非常用照明装置１０に制御信号を前記点滅形非常用照明装置１０の切替回路３へ火災感知器の通知に基づく情報を伝達する。
【００３１】
そして、切替回路３は、バッテリ４の充電電圧が昇圧回路５に供給されるように切替える。次に昇圧回路５によって昇圧された比較的低い電圧がＬＥＤ７０，７０、７０へ供給されるとともに、点滅制御回路６がトランジスタ８のベースをオンオフすることで、ＬＥＤ７０，７０，７０が点滅する。これにより、点滅形非常用照明装置１０は、バッテリ４によって駆動されることになるとともに、火災等によって常用電源９が利用不能となった場合でも、避難誘導が可能となる。また、例えば信号装置１からは通常の非常信号の他に、早期の非難を促したい旨の信号を送信できるようになっており、この情報が切替回路３に入力されると、切替回路３の制御回路が点滅制御回路６の制御状態を適宜可変するようになっている。
【００３２】
本実施形態によれば、点滅用光源としてＬＥＤ７０を使用している。したがって、周囲が暗い状況であっても、非常時には速やかにＬＥＤ７０が点滅し避難者に避難方向を報知できるので、高い安全性を確保することができる。また、ＬＥＤ７０は、応答性が高いので、より早期に点滅動作を開始することが可能となる。したがって、早い段階で避難者に避難方向を報知することができる。ゆえに、高い安全性と高い確実性が得られる点滅形非常用照明装置１０とすることができる。
【００３３】
また、昇圧回路５による昇圧比が低いので、ＬＥＤ７０，７０，７０を器具本体１０Ａ外に露出すように配置することができる。これにより、ＬＥＤ７０、７０、７０からの直接光を器具本体１０Ａ外に広く放射することができるので、点滅状態の視認性が低下することがない。また、ＬＥＤ７０，７０，７０の直接光を点滅報知用として用いるので、ＬＥＤ７０，７０，７０の輝度を必要以上に高くすることがない（低エネルギーのＬＥＤを使用可能である）ため、バッテリの充電電圧の減少速度を抑えることができ、長時間の点滅点灯を維持することができる。
【００３４】
また、ＬＥＤ７０を器具本体１０Ａ外へ配設することが可能であるので、デザインの自由度が広がり、例えば点滅形非常用照明装置を設置する空間に応じて複数の機種を選択することができる等が可能となる。
【００３５】
また、同じく昇圧回路５による昇圧比が低いので、回路全体として無駄になるエネルギー損失を減らすことができるので、回路効率をあげることができる。さらにまた、従来のキセノンランプで用いていたパルス専用線等は不要となるので、断線による不点の虞を回避するとともに、回路を簡易化することができる。
【００３６】
また、点滅制御部６の制御により、ＬＥＤ光源部７の点滅周期を可変することもできるので、必要に応じて点滅を早めたり、点滅間隔を長くすることができ、状況変化の報知が行いやすく、かつ、使用範囲、機能、及び用途を広げることができる。
【符号の説明】
【００３７】
点滅形非常用照明装置・・・１０、バッテリ…４、充電回路・・・２、切替え手段である切替回路・・・３、昇圧手段である昇圧回路・・・５、ＬＥＤ・・・７０、点灯制御手段である点滅制御回路・・・６
【図１】
2011204698.tif 000003